(57)【要約】  【課題】クリーナー性能を高め、高級感を有する手袋Ｇを提供する。  【解決手段】宝飾品などの商品を取り扱う際に利用する手袋Ｇにおいて、前記商品を取り扱う際に当該商品と当接する当接面１１１に、１デニール以下の繊維にて構成した繊維基材Ｆを用いる。  【選択図】図１
0003139877.tif 000002
【実用新案登録請求の範囲】
【請求項１】
宝飾品などの商品を取り扱う際に利用する手袋において、
前記商品を取り扱う際に当該商品と当接する当接面に、１デニール以下の繊維にて構成した繊維基材を用いていることを特徴とする手袋。
【請求項２】
着用状態において表出する表出面に、１デニール以下の繊維にて構成した繊維基材を用いていることを特徴とする請求項１記載の手袋。
【請求項３】
前記繊維基材を構成する繊維の素材を、ナイロンとポリエステルとしていることを特徴とする請求項１又は２記載の手袋。
【請求項４】
前記繊維基材を構成する繊維の断面を、角を有する多角形としていることを特徴とする請求項１乃至３記載の手袋。
【請求項５】
前記繊維基材を構成する繊維を、分割型繊維としていることを特徴とする請求項１乃至４記載の手袋。
【考案の詳細な説明】
【技術分野】
【０００１】
本考案は、宝飾貴金属店などにて宝飾品などの商品を取り扱う際に利用される手袋に関するものである。
【背景技術】
【０００２】
従来、宝飾貴金属店や眼鏡店などでは高級品を取り扱うため、店員は商品を取り扱う際に手袋を着用する。当該手袋は、綿のニット生地を裁断し縫製して作製したものが多い。
（例えば、特許文献１を参照）。
【特許文献１】実用新案登録第３１１７４２０号
【考案の開示】
【考案が解決しようとする課題】
【０００３】
しかし、綿素材などを用いた織編地を縫製した手袋は、織編目が粗く商品に付着した指紋や油脂汚れを拭き取る機能が不足している。また、使用者が手袋を着脱する際に手袋を構成する繊維が剥離し商品に付着してしまうという不具合が生じている。特に、高額な商品が多い時計や宝飾品などに上述のような繊維が付着することは好ましくない。更に、繊維の太い綿素材などの手袋は、外観において高級感に欠けるという問題があった。
【課題を解決するための手段】
【０００４】
そこで、本考案は、宝飾品などの商品を取り扱う際に利用する手袋において、前記商品を取り扱う際に当該商品と当接する当接面に、１デニール以下の繊維にて構成した繊維基材を用いていることを特徴とする。
【０００５】
このように超極細繊維の繊維基材を当接面に用いることで、毛羽立ちを抑え繊維くずが商品に付着することを防止できる。更に、前記当接面がクリーナー特性を発揮し商品に付着した汚れや指紋などを好適にふき取ることが可能となる。また、毛細管現象により吸水性にも優れている。加えて、商品との密着性があり滑りにくい。更には、外観に高級感を付与することが可能となる。
【０００６】
更に毛羽立ち等を抑えるためには、着用状態において表出する表出面に、１デニール以下の繊維にて構成した繊維基材を用いることが望ましい。
加えて、前記繊維基材を構成する繊維の素材を、ナイロンとポリエステルとすることで、摩擦強度を高めると共に吸油性を増すことができる。
【０００７】
また、クリーナー性能を高めるためには、前記繊維基材を構成する繊維の断面を、角を有する多角形とすることが考えられる。
【０００８】
更に、前記繊維基材を構成する繊維を分割型繊維とすることで、高密度の繊維基材を得やすくすることができる。
【考案の効果】
【０００９】
このように超極細繊維の繊維基材を当接面に用いることで、毛羽立ちを抑え繊維くずが商品に付着することを防止できる。更に、当該当接面がクリーナー特性を発揮し商品に付着した汚れや指紋などを好適にふき取ることが可能となる。また、毛細管現象により吸水性にも優れている。加えて、商品との密着性があり滑りにくい。更に、外観に高級感を付与することが可能となる。
【考案を実施するための最良の形態】
【００１０】
本考案に係る手袋Ｇは、例えば、宝飾貴金属店などの店員が、商品である宝飾品などを取り扱う際に、指紋などを商品につけないために着用するものである。本実施形態における手袋Ｇは、前記商品を取り扱う際に当該商品と当接する当接面１１１に、１デニール以下の繊維にて構成した繊維基材Ｆを用いている。具体的には、使用者の手を覆う手袋本体１を前記繊維基材Ｆにて構成している。
【００１１】
以下、各構成について詳述する。
【００１２】
手袋本体１は、図１に示すように、後述する手袋本体繊維にて織り上げた繊維基材Ｆを所望のパーツに裁断した後、手を覆う形状に縫製してなるものである。具体的には、主として、手の甲、手の平、親指を覆う各パーツを同一素材の繊維基材Ｆから裁断した後に、各裁断片を縫製することにより手の形に添った手袋本体１を形成している。
【００１３】
当該手袋本体１を構成する繊維基材Ｆは、１デニール以下の手袋本体繊維を織りあげた織物である。当該手袋本体１は、全体を同一素材の繊維基材Ｆより形成しているため、着用状態において表出する表出面１１及び当該表出面１１の裏面となる内側面を、１デニール以下の手袋本体繊維からなる繊維基材Ｆにて形成する。
【００１４】
更に、前記表出面１１は、着用者の手の平を覆う手の平部１１ａと、着用者の手の甲を覆う手の甲部１１ｂとを有している。当該表出面１１の手の平部１１ａは、手袋Ｇの着用者が商品を取り扱う際に商品と当接する当接面１１１を含んでいる。当該手袋本体１は、前述のとおり同一素材の繊維基材Ｆにて形成しているため、前記当接面１１１を含む手の平部１１ａや手の甲部１１ｂなどの手袋本体１の全面を上述の手袋本体繊維にて構成した繊維基材Ｆにて形成している。
【００１５】
手袋本体繊維は、伸縮性を有する１デニール以下、本実施形態においては、０．００１デニール以上１デニール以下の超極細繊維である。具体的には、ナイロンを素材とする超極細繊維とポリエステルを素材とする超極細繊維の分割繊維からなる。当該ナイロン製とポリエステル製の繊維は、互いに絡み合う状態で織り上げられ前記繊維基材Ｆである織地となる。
【００１６】
本実施形態においては、ナイロンとポリエステルからなる異種成分を交互に配する複合繊維を形成した後に、ナイロンとポリエステルを化学処理にて１６分割に溶解割繊することにより、０．００１デニール以上１デニール以下の分割繊維を作成し、当該分割繊維を手袋本体繊維として利用している。手袋本体繊維の断面は、分割されることにより鋭い角を有する多角形となっている。当該手袋本体繊維は、ハイゲージの織り機にて織った後に、高収縮加工を施すことで高密度の繊維基材Ｆとなる。
【００１７】
尚、前記１デニール以下の手袋本体繊維を得る方法は、上述のものに限らない。例えば、多層分割型繊維、混合紡糸繊維、海島型繊維、ブレンド型繊維、剥離分離型繊維などの製造方法や、溶解ポリマーを紡糸延伸して超極細繊維を得ることも考えられる。
【００１８】
更に、手袋本体繊維の素材は、前記ナイロンやポリエステルに限らず、ポリアクリル系、ポリアミド系、ポリオレフィン系などの素材を用いても良い。
【００１９】
以上のように、超極細繊維の繊維基材Ｆを当接面１１１に用いることで、毛羽立ちを抑え繊維くずが商品に付着することを防止できる。更に、当該当接面１１１がクリーナー特性を発揮し商品に付着した汚れや指紋などを好適にふき取ることが可能となる。また、毛細管現象により吸水性にも優れている。加えて、商品との密着性があり滑りにくい。更には、例えば、シルキータッチの外観として高級感を付与することが可能となる。
【００２０】
更に、着用状態において表出する表出面１１に、１デニール以下の繊維にて構成した繊維基材Ｆを用いていることで、当接面１１１以外の箇所から発生する毛羽立ち等も抑えることができる。
加えて、前記繊維基材Ｆを構成する繊維の素材を、ナイロンとポリエステルとしていることにより、摩擦強度を高めると共に吸油性を増すことができる。
【００２１】
また、前記繊維基材Ｆを構成する繊維の断面を、角を有する多角形としているため、よりクリーナー性能を高めることが可能となる。
更に、前記繊維基材Ｆを構成する繊維を分割型繊維していることで、高密度の繊維基材Ｆを得やすくすることができる。
【００２２】
なお、本考案は、以上に詳述した実施形態に限られるものではない。
【００２３】
前記繊維基材Ｆは前記手袋本体繊維の織地であったが、前記手袋本体繊維を用いた編地や不織布であっても良い。
【００２４】
また、上記実施形態においては、手袋本体１の全面を１デニール以下の繊維からなる繊維基材Ｆにて構成したが、図２に示すように、図中のパターンで示した当接面１１１を含む手の平部１１aのみを、１デニール以下の繊維からなる繊維基材Ｆにて構成し、他の部分は例えば強度を増した繊維基材にて構成することも考えられる。また、図３に示すように、図中のパターンで示した当接面１１１のみを、１デニール以下の繊維からなる繊維基材Ｆにて構成し、他の部分は例えば強度を増した繊維基材にて構成することも考えられる。尚、図２、図３において、上記実施形態と同様の構成には同じ符号を付している。また、前記当接面１１１の全部や当接面１１１の一部のみを１デニール以下の繊維からなる繊維基材Ｆにて構成しても良い。更には、前記表出面１１のみを、１デニール以下の繊維にて構成した繊維基材Ｆとし、裏面は強度を増した繊維基材にて構成することも考えられる。
【図面の簡単な説明】
【００２５】
【図１】本考案の実施形態に係る手袋Ｇを示す概略図。
【図２】本考案の他の実施形態に係る手袋Ｇを示す概略図。
【図３】本考案の他の実施形態に係る手袋Ｇを示す概略図。
【符号の説明】
【００２６】
Ｆ・・・繊維基材
Ｇ・・・手袋
１１・・・表出面
１１１・・・当接面
【図１】
0003139877.tif 000003
【図２】
0003139877.tif 000004
【図３】
0003139877.tif 000005